(57)【要約】【課題】ディスク挿入口からの光ディスクの挿入量が少なくても光ディスクを取り込める光ディスクドライブ装置を提供することを目的とする。【解決手段】光ディスクの挿入経路に達するメインレバー４ａの先端にサブレバー１７を設け、メインレバー４ａを第１付勢手段２２で光ディスクの挿入経路の内側に付勢し、サブレバー１７をメインレバー４ａに対して第２付勢手段２５で光ディスクの挿入経路の内側に回動する方向に付勢したことを特徴とし、挿入されてきた光ディスクにサブレバー１７がメインレバー４ａよりも先に当接してメインレバー４ａを回動させて検出スイッチ１６を操作する。【選択図】図１
2008186497.tif 000002
【特許請求の範囲】
【請求項１】
ディスク挿入口に光ディスクが挿入されたことを検出して前記光ディスクをローディング完了位置に搬入するスロットイン機構を備えた光ディスクドライブ装置であって、
基端を中心に回動自在に枢支され先端がディスク挿入口から挿入されて来る前記光ディスクの挿入経路に達するメインレバーと、
前記メインレバーの先端に回動自在に枢支されて一端が光ディスクの前記挿入経路に達するサブレバーと
メインレバーの前記先端を光ディスクの前記挿入経路の内側に回動する方向に付勢する第１付勢手段と、
サブレバーの前記一端を前記メインレバーに対してディスクの前記挿入経路の内側に回動する方向に付勢する第２付勢手段と
を設けた
光ディスクドライブ装置。
【請求項２】
光ディスクをローディング完了位置に向かって搬入する初期状態における第２付勢手段の付勢力を第１付勢手段の付勢力よりも大きく設定した
請求項１記載の光ディスクドライブ装置。
【請求項３】
前記サブレバーは、中央部がメインレバーの前記先端に枢支され、前記中央部から前記一端とは反対側に延びる突部を有しており、
前記光ディスクのローディング終了状態では前記サブレバーの前記突部が固定側に当接して前記メインレバーが第１付勢手段の付勢に抗して前記サブレバーの前記一端が前記光ディスクから離間する方向に回動して退避するように構成した
請求項１または請求項２記載の光ディスクドライブ装置。
【発明の詳細な説明】
【技術分野】
【０００１】
本発明は、各種の情報機器やオーディオ装置，ビデオ装置などにおいて、入出力装置として接続される光ディスクドライブ装置に関するものである。
【背景技術】
【０００２】
図１２は、従来のスロットイン方式の光ディスクドライブ装置の使用状態でのローディング工程を示している。なお、ここでは内部の各部品を見せるためにトップカバーを取り除いて図示されている。
【０００３】
ローディング工程は、図１３（ａ）に示すように、光ディスク２の端をディスク挿入口３からガイドブロック１２に沿って挿入すると、メインレバー４の先端に光ディスク２が係合する。図１４はメインレバー４を示している。基端が軸５で枢支されているこのメインレバー４の先端には、傾斜したガイド壁１３の上にディスク接触部１４が形成されている。挿入された光ディスク２はディスク接触部１４に係合してメインレバー４が軸５を中心に回動する。メインレバー４の基端の裏面にはボス１５が形成されており、また、固定側には図１５に示すように検出スイッチ１６が取り付けられている。メインレバー４が軸５を中心に回動するとボス１５によって検出スイッチ１６が操作されて、モータ６への通電がオン状態になる。モータ６が回転すると取り込みレバー７が図１３（ｂ）に回動して、取り込みレバー７の先端７ａが光ディスク２の後端に係合して、光ディスク２をガイドレバー８に向かって押し込む。この取り込みレバー７による押し込み動作は、光ディスク２のチャッキングホール２ａの中心が回転テーブル９の中心に一致する位置まで行われて、図１３（ｃ）の位置に達した光ディスク２がクランパー（図示せず）と回転テーブル９とで挟持されてローディングが完了する。
【特許文献１】実公平７−５５７５号公報
【発明の開示】
【発明が解決しようとする課題】
【０００４】
光ディスク２の検出用のメインレバー４の全長は、光ディスクドライブ装置を取り付けるベイの寸法制限から長くすることができないため、光ディスク２をディスク挿入口３から相当奥まったところまで挿入してからでないと、モータ６が起動しない。
【０００５】
本発明は、ディスク挿入口３からの光ディスク２の挿入量が従来よりも少なくても光ディスクを取り込むことができる光ディスクドライブ装置を提供することを目的とする。
【課題を解決するための手段】
【０００６】
本発明の請求項１記載の光ディスクドライブ装置は、ディスク挿入口に光ディスクが挿入されたことを検出して前記光ディスクをローディング完了位置に搬入するスロットイン機構を備えた光ディスクドライブ装置であって、基端を中心に回動自在に枢支され先端がディスク挿入口から挿入されて来る前記光ディスクの挿入経路に達するメインレバーと、前記メインレバーの先端に回動自在に枢支されて一端が光ディスクの前記挿入経路に達するサブレバーと、メインレバーの前記先端を光ディスクの前記挿入経路の内側に回動する方向に付勢する第１付勢手段と、サブレバーの前記一端を前記メインレバーに対して光ディスクの前記挿入経路の内側に回動する方向に付勢する第２付勢手段とを設けたことを特徴とする。
【０００７】
本発明の請求項２記載の光ディスクドライブ装置は、請求項１において、光ディスクをローディング完了位置に向かって搬入する初期状態における第２付勢手段の付勢力を第１付勢手段の付勢力よりも大きく設定したことを特徴とする。
【０００８】
本発明の請求項３記載の光ディスクドライブ装置は、請求項１または請求項２において、前記サブレバーは、中央部がメインレバーの前記先端に枢支され、前記中央部から前記一端とは反対側に延びる突部を有しており、前記光ディスクのローディング終了状態では前記サブレバーの前記突部が固定側に当接して前記メインレバーが第１付勢手段の付勢に抗して前記サブレバーの前記一端が前記光ディスクから離間する方向に回動して退避するように構成したことを特徴とする。
【発明の効果】
【０００９】
この構成によると、メインレバーの先端にサブレバーを取り付けたので、メインレバーよりも先にサブレバーに光ディスクが係合して、メインレバー回動し、光ディスクの挿入量が従来よりも少なくても光ディスクを取り込める。
【発明を実施するための最良の形態】
【００１０】
以下、本発明の実施の形態を図面に基づいて説明する。
なお、図１２〜図１５に示した従来例と同様の作用をなすものには同一の符号を付けて説明する。
【００１１】
図１〜図１１は本発明の実施の形態を示す。
図１はスロットイン方式の光ディスクドライブ装置を示す。
この実施の形態の光ディスクドライブ装置において光ディスク２の挿入を検出する手段は、次のように構成されている。
【００１２】
基端が軸５で枢支されたメインレバー４ａは、先端がディスク挿入口３から挿入されて来る光ディスクの挿入経路に達している。このメインレバー４ａの先端には、サブレバー１７が軸１８で枢支されている。図２（ａ）（ｂ）はメインレバー４ａとサブレバー１７の部分の分解図と組み立て図を示している。
【００１３】
メインレバー４ａの基端の裏面には、検出スイッチ１６の操作用にボス１５が形成されている。メインレバー４ａの先端に設けられた軸１８に枢支されるサブレバー１７は、中央部に軸１８が挿通される軸受１９が形成され、一端には傾斜したガイド壁１３がディスク接触部１４を介して形成されている。さらに、サブレバー１７には、軸受１９から前記一端とは反対側に延びる突部２０が形成されている。
【００１４】
図１に示すように、メインレバー４ａの基端とシャーシ２１との間には第１の付勢手段としての引っ張りバネ２２が介装されており、メインレバー４ａは先端が光ディスク２に近づく方向（時計方向）に付勢されて、この図１に示す初期状態ではメインレバー４ａの裏面に突出して植設されたピン２４がシャーシ２１に形成された孔２９の端部に当接して停止している。
【００１５】
サブレバー１７とメインレバー４ａの間には第２の付勢手段としての円筒コイルバネ２５が介装されている。メインレバー４ａの表面に形成された突部２６に沿って配置された円筒コイルバネ２５の一端の先端は、メインレバー４ａに折り曲げ加工で形成されているレバーストッパ２７に図６（ｂ）に示すように係合し、円筒コイルバネ２５の他端は、図３に示すようにサブレバー１７の軸受１９と前記一端との間に係合している。
【００１６】
このようにメインレバー４ａに対してサブレバー１７は、円筒コイルバネ２５によって、サブレバー１７の一端のガイド壁１３とディスク接触部１４が光ディスク２に近づく方向（時計方向）に付勢されており、図１に示す初期状態のサブレバー１７は、メインレバー４ａのレバーストッパ２７に当接して図２に示す位置で停止している。
【００１７】
光ディスク２の端をディスク挿入口３からガイドブロック１２に沿って挿入すると、サブレバー１７のガイド壁１３に乗り上げてディスク接触部１４に光ディスク２の外周部が係合し、メインレバー４ａが付勢に抗して反時計方向に回動する。メインレバー４ａの回動によって、メインレバー４ａのボス１５が検出スイッチ１６を押す。
【００１８】
検出スイッチ１６がメインレバー４ａのボス１５によって押されることによって、モータ６への通電がオン状態になった図４の直後の状態では、モータ６が回転して取り込みレバー７が回動して、光ディスク２をガイドレバー８に向かって押し込む。
【００１９】
なお、この初期状態における引っ張りバネ２２によるメインレバー４ａの付勢力Ｆ１と初期状態における円筒コイルバネ２５によるサブレバー１７の付勢力Ｆ２とでは、“ Ｆ１ ＜ Ｆ２ ”に設定されており、図３から図４（ａ）（ｂ）に示す状態ではメインレバー４ａに対してサブレバー１７は回動していない。
【００２０】
モータ６による光ディスク２の押し込みが進んで図５（ａ）（ｂ）の位置において“ Ｆ１ ≧ Ｆ２ ”になると、モータ６による光ディスク２の以後の取り込み動作に伴ってメインレバー４ａに対してサブレバー１７が付勢に抗して反時計方向に回動し始め、光ディスク２のチャッキングホール２ａの中心が回転テーブル９の中心に一致する手前に達した図６（ａ）（ｂ）に示すよう状態になったときに、サブレバー１７がメインレバー４ａのストッパー２８に当接してサブレバー１７の回動が終了しメインレバー４ａの回動が再開する。
【００２１】
サブレバー１７の回動が終了しメインレバー４ａの回動が再開して、光ディスク２のチャッキングホール２ａの中心が回転テーブル９の中心に一致して光ディスク２が最終位置に到達する。
【００２２】
光ディスク２が最終位置に到達した後、更にメインレバー４ａは下記の別の駆動手段によって図７（ａ）（ｂ）に示すように回動し、それによって、サブレバー１７の突部２０が筐体２３に当接して図８（ａ）（ｂ）に示すように、サブレバー１７が円筒コイルバネ２５の付勢に抗して更に回動して、サブレバー１７のディスク接触部１４とガイド壁１３が光ディスク２に接触しないように退避する。
【００２３】
図９〜図１１はメインレバー４ａを駆動する前記別の駆動手段の詳細を示している。
図９は図１と同じ初期状態を示しており、シャーシ２１の裏面にはピン３０で枢支された駆動レバー３１が設けられている。この駆動レバー３１の先端に形成されたピン３２は、スライドレバー３３に次のように係合する。
【００２４】
スライドレバー３３は取り込みレバー７を光ディスク２の取り込み方向に回動するのに連動して前記モータ６によって矢印３４方向にスライド移動する。またメインレバー４ａには、裏面にピン３５が植設されており、このピン３５はシャーシ２１に形成されたガイド孔３６を介してシャーシ２１の裏面に突出している。
【００２５】
取り込みレバー７の回動によって取り込まれた光ディスク２が最終位置に到達した後、
前記説明の図７（ａ）（ｂ）の状態では、図１０（ａ）（ｂ）に示すようにメインレバー４ａのピン３５が駆動レバー３１に係合して、スライドレバー３３によってメインレバー４ａが図１１（ａ）（ｂ）に示す位置にまで更に回動して、サブレバー１７の突部２０が筐体２３に当接してサブレバー１７が回動して、サブレバー１７が確実に退避する。
【００２６】
このように、サブレバー１７を回転可能にメインレバー４ａの上に設けたため、軸１８とディスク接触部１４の長さＬを適切に設定することによって、メインレバー４ａの長さが同じでも、光ディスク２の検出位置を任意に設定でき、操作性が向上する。
【００２７】
また、光ディスク２の記録再生時にはサブレバー１７の突部２０が筐体２３に当接してメインレバー４ａが回動して、サブレバー１７と光ディスク２が接触しないように更に回転するので、構成簡単にしてサブレバー１７を確実に退避させることができる。
【００２８】
なお、サブレバー１７の突部２０を固定側としての筐体２３に当接させてサブレバー１７を退避させたが、シャーシ２１に切り起こし加工などで形成した固定側としての突起片にサブレバー１７の突部２０を当接させてサブレバー１７を退避させることもできる。しかし、筐体２３にサブレバー１７の突部２０を当接させてサブレバー１７を退避させる方が、シャーシ２１の奥行き寸法をを小さくすることができ、筐体２３の奥行き寸法を小さくすることができて好ましい。
【産業上の利用可能性】
【００２９】
光ディスクドライブ装置の高性能化によって、この光ディスクドライブ装置を搭載したパーソナルコンピュータなどの機器の筐体のデザインの多様化に寄与できる。
【図面の簡単な説明】
【００３０】
【図１】本発明の光ディスクドライブ装置の初期状態の平面図
【図２】同実施の形態のメインレバーとサブレバーの分解図と組み立て図
【図３】同実施の形態の光ディスク取り込み工程において光ディスクがサブレバーに当接した直後の要部拡大図
【図４】同実施の形態の光ディスク取り込み工程において光ディスクがサブレバーに当接してメインレバーが回動した検出スイッチの切り替わり点の平面図と要部拡大図
【図５】同実施の形態の光ディスク取り込み工程においてメインレバーに対してサブレバーが回動し始めた直後の平面図と要部拡大図
【図６】同実施の形態の光ディスク取り込み工程においてサブレバーが停止してメインレバーが回動し始める状態の平面図と要部拡大図
【図７】同実施の形態の光ディスク取り込み工程においてメインレバーが終端直前に到着した状態の平面図と要部拡大図
【図８】同実施の形態の光ディスク取り込み工程においてメインレバーが終端に到着してサブレバーが退避した状態の平面図と要部拡大図
【図９】同実施の形態の初期状態における駆動レバーを示す平面図
【図１０】図７の状態における駆動レバーを示す平面図と要部拡大図
【図１１】図８の状態における駆動レバーを示す平面図と要部拡大図
【図１２】同従来例の光ディスクドライブ装置の斜視図
【図１３】スロットイン工程図
【図１４】従来のメインレバーの斜視図
【図１５】同従来例の光ディスクドライブ装置の要部の平面図
【符号の説明】
【００３１】
２    光ディスク
２ａ    光ディスク２のチャッキングホール
３    ディスク挿入口
４ａ    メインレバー
５    軸
６    モータ
７    取り込みレバー
７ａ    取り込みレバー７の先端
８    ガイドレバー
９    回転テーブル
１２    ガイドブロック
１３    ガイド壁
１４    ディスク接触部
１５    ボス
１６    検出スイッチ
１７    サブレバー
１８    軸
１９    軸受（中央部）
２０    突部
２１    シャーシ
２２    引っ張りバネ（第１の付勢手段）
２３    筐体
２４    ピン
２５    円筒コイルバネ（第２の付勢手段）
２６    突部
２７    レバーストッパ
２８    ストッパー
３０    ピン
３１    駆動レバー
３２    ピン
３３    スライドレバー
３５    ピン
３６    シャーシ２１に形成されたガイド孔
Ｆ１    引っ張りバネ２２によるメインレバー４ａの付勢力
Ｆ２    円筒コイルバネ２５によるサブレバー１７の付勢力
Ｌ    軸１８とディスク接触部１４の長さ
【図１】
2008186497.tif 000003
【図２】
2008186497.tif 000004
【図３】
2008186497.tif 000005
【図４】
2008186497.tif 000006
【図５】
2008186497.tif 000007
【図６】
2008186497.tif 000008
【図７】
2008186497.tif 000009
【図８】
2008186497.tif 000010
【図９】
2008186497.tif 000011
【図１０】
2008186497.tif 000012
【図１１】
2008186497.tif 000013
【図１２】
2008186497.tif 000014
【図１３】
2008186497.tif 000015
【図１４】
2008186497.tif 000016
【図１５】
2008186497.tif 000017